(57)【要約】【課題】  データ通信システムにおいて無線親機と無線子機の使用者識別情報が誤って登録されるのを回避し、無線機器の設置に要する時間を短縮することである。【解決手段】  無線テレメータシステムは、ホストコンピュータ１と、ホストコンピュータ１に接続されたセンタ側網制御装置２と、電話回線を介してセンタ側網制御装置２に接続された端末側網制御装置３と、端末側網制御装置３に接続された無線親機４と、無線で無線親機４と通信する複数の無線子機５と、複数の無線子機５の各々に接続されたメータ６ａとを備え、ホストコンピュータ１、無線親機４および無線子機５の間でデータを伝送するときに用いられる無線親機４と無線子機５の初期のユーザＩＤが無線機固有の無線識別符号と同一に設定されている。【選択図】        図１
2005229426.tif 000002
【特許請求の範囲】
【請求項１】
ホストコンピュータを有するホストと、
前記ホストに接続されたセンタ側網制御装置と、
通信回線を介して前記センタ側網制御装置に接続された端末側網制御装置と、
前記端末側網制御装置に接続された無線親機と、
無線で前記親機と通信する複数の無線子機と、
複数の前記無線子機の各々に接続された端末機器とを備え、
前記ホスト、前記無線親機および前記無線子機の間でデータを伝送するときに用いられる前記無線親機と前記無線子機の初期の使用者識別情報が無線機固有の識別情報と同一に設定されている、データ通信システム。
【請求項２】
前記無線親機または前記無線子機に設定されている使用者識別情報が無線機固有の識別情報と同一である場合にはキャリアセンス動作を停止し、前記無線親機または前記無線子機に設定されている使用者識別情報が無線機固有の識別情報と異なる場合にはキャリアセンス動作を開始するように構成されている、請求項１に記載のデータ通信システム。
【請求項３】
ホストコンピュータを有するホストと、前記ホストに接続されたセンタ側網制御装置と、通信回線を介して前記センタ側網制御装置に接続された端末側網制御装置と、前記端末側網制御装置に接続された無線親機と、無線で前記無線親機と通信する複数の無線子機と、複数の前記無線子機の各々に接続された端末機器とを備えたデータ通信システムに用いられる無線子機であって、
前記ホスト、前記無線親機および前記無線子機の間でデータを伝送するときに用いられる前記無線子機の初期の使用者識別情報が無線機固有の識別情報と同一に設定されている、無線子機。
【請求項４】
前記無線子機に設定されている使用者識別情報が無線機固有の識別情報と同一である場合にはキャリアセンス動作を停止し、前記無線子機に設定されている使用者識別情報が無線機固有の識別情報と異なる場合にはキャリアセンス動作を開始するように構成されている、請求項３に記載の無線子機。
【請求項５】
ホストコンピュータを有するホストと、前記ホストに接続されたセンタ側網制御装置と、通信回線を介して前記センタ側網制御装置に接続された端末側網制御装置と、前記端末側網制御装置に接続された無線親機と、無線で前記無線親機と通信する複数の無線子機と、複数の前記無線子機の各々に接続された端末機器とを備えたデータ通信システムに用いられる無線親機であって、
前記ホスト、前記無線親機および前記無線子機の間でデータを伝送するときに用いられる前記無線親機の初期の使用者識別情報が無線機固有の識別情報と同一に設定されている、無線親機。
【請求項６】
前記無線親機に設定されている使用者識別情報が無線機固有の識別情報と同一である場合にはキャリアセンス動作を停止し、前記無線親機に設定されている使用者識別情報が無線機固有の識別情報と異なる場合にはキャリアセンス動作を開始するように構成されている、請求項５に記載の無線親機。
【請求項７】
ホストコンピュータを有するホストと、前記ホストに接続されたセンタ側網制御装置と、通信回線を介して前記センタ側網制御装置に接続される端末側装置とを備えたデータ通信システムに用いられる端末側装置であって、
通信回線を介して前記センタ側網制御装置に接続された端末側網制御装置と、
前記端末側網制御装置に接続された無線親機と、
無線で前記無線親機と通信する複数の無線子機と、
複数の前記無線子機の各々に接続された端末機器とを含み、
前記ホスト、前記無線親機および前記無線子機の間でデータを伝送するときに用いられる前記無線親機と前記無線子機のそれぞれの初期の使用者識別情報が無線機固有の識別情報と同一に設定されている、端末側装置。
【請求項８】
前記無線親機または前記無線子機に設定されている使用者識別情報が無線機固有の識別情報と同一である場合にはキャリアセンス動作を停止し、前記無線親機または前記無線子機に設定されている使用者識別情報が無線機固有の識別情報と異なる場合にはキャリアセンス動作を開始するように構成されている、請求項７に記載の端末側装置。
【請求項９】
ホストコンピュータを有するホストと、前記ホストに接続されたセンタ側網制御装置と、通信回線を介して前記センタ側網制御装置に接続された端末側網制御装置と、前記端末側網制御装置に接続された無線親機と、無線で前記親機と通信する複数の無線子機と、複数の前記無線子機の各々に接続された端末機器とを備え、前記ホスト、前記無線親機および前記無線子機の間でデータを伝送するときに用いられる前記無線親機と前記無線子機の初期の使用者識別情報が無線機固有の識別情報と同一に設定されているデータ通信システムの相手局登録方法であって、
前記無線機固有の識別情報を用いることにより前記無線親機と前記無線子機との間での相互の相手局登録を行う、データ通信システムの相手局登録方法。
【請求項１０】
前記無線親機と前記無線子機との間での相互の相手局登録を前記無線親機と前記無線子機の製造時に行う、請求項９に記載のデータ通信システムの相手局登録方法。
【請求項１１】
前記無線親機と前記無線子機との間での相互の相手局登録を前記無線親機と前記無線子機の設置前に行う、請求項９に記載のデータ通信システムの相手局登録方法。
【請求項１２】
ホストコンピュータを有するホストと、前記ホストに接続されたセンタ側網制御装置と、通信回線を介して前記センタ側網制御装置に接続された端末側網制御装置と、前記端末側網制御装置に接続された無線親機と、無線で前記親機と通信する複数の無線子機と、複数の前記無線子機の各々に接続された端末機器とを備え、前記ホスト、前記無線親機および前記無線子機の間でデータを伝送するときに用いられる前記無線親機と前記無線子機の初期の使用者識別情報が無線機固有の識別情報と同一に設定されているデータ通信システムの設置方法であって、
前記無線機固有の識別情報を用いることにより前記無線親機と前記無線子機との間での相互の相手局登録を設置前に行い、キャリアセンス動作を停止するステップと、
前記無線機固有の識別情報で相互の相手局登録が行なわれた前記無線親機から、前記端末側網制御装置と前記センタ側網制御装置とを通じて前記ホストに発呼するステップと、
前記無線親機からの発呼に応じて前記ホストは、前記通信回線の使用者識別情報に基づいて予め登録されている前記無線親機と前記無線子機の使用者識別情報を抽出し、前記無線親機と前記無線子機に使用者識別情報を送信するステップと、
前記無線親機と前記無線子機の各々が、登録されている自局と相手局の使用者識別情報を、前記無線機固有の識別情報から、前記ホストから送信された前記無線親機と前記無線子機の使用者識別情報に変更するステップとを備えた、データ通信システムの設置方法。
【請求項１３】
ホストコンピュータを有するホストと、前記ホストに接続されたセンタ側網制御装置と、通信回線を介して前記センタ側網制御装置に接続された端末側網制御装置と、前記端末側網制御装置に接続された無線親機と、無線で前記親機と通信する複数の無線子機と、複数の前記無線子機の各々に接続された端末機器とを備え、前記ホスト、前記無線親機および前記無線子機の間でデータを伝送するときに用いられる前記無線親機と前記無線子機の初期の使用者識別情報が無線機固有の識別情報と同一に設定されているデータ通信システムのキャリアセンス動作の開始方法であって、
前記無線親機と前記無線子機との間での相互の相手局が前記無線機固有の識別情報と異なる使用者識別情報で登録されているときにキャリアセンス動作を開始する、データ通信システムのキャリアセンス動作の開始方法。
【請求項１４】
前記キャリアセンス動作の開始方法は、前記無線親機と前記無線子機との間での相互の相手局登録の操作方法と同じである、請求項１３に記載のデータ通信システムのキャリアセンス動作の開始方法。
【発明の詳細な説明】
【技術分野】
【０００１】
この発明は、一般的にはデータ通信システム、それに用いられる無線子機、無線親機および端末側装置、ならびにデータ通信システムの相手局登録方法、設置方法およびキャリアセンス動作の開始方法に関し、特定的には、公衆電話回線等の通信回線を介してセンタ側装置に接続された端末側網制御装置とガスメータ、水道メータ、センサ等の端末機器との間でのデータ伝送を無線によって行う無線テレメータシステム、あるいは異常事態を通報するセキュリティシステム等の無線データ通信システムに関するものである。
【背景技術】
【０００２】
無線データ通信システムの一例としての無線テレメータシステムは、センタ側網制御装置と通信回線を介して接続された端末側網制御装置（以下、Ｔ−ＮＣＵという）と、Ｔ−ＮＣＵに接続された無線親機（以下、親機という）と、親機と無線回線を介して通信を行う複数の無線子機（以下、子機という）と、親機または子機に接続されたガス、水道、電気等のメータ、センサ等の端末機器とによって構成される。なお、親機および子機を総称して無線機器という。
【０００３】
上記の無線テレメータシステムにおいて、無線通信を行うためには相手局を登録しなければならない。特開平１１−２７７６０号公報（特許文献１）に記載の通信システムは、センタ側装置と、センタ側装置に通信回線を介して接続された端末側装置とを備え、端末側装置がセンタ側装置に接続されたメイン端末と、メイン端末に接続されたサブ端末とを備える通信システムにおいて、メイン端末およびサブ端末の設置時に、両端末が、互いに自己の識別情報を相手側に送信するとともに受信した相手側の識別情報をそれぞれ登録するものである。この通信システムでは、相手局登録を無線通信によって行う。すなわち、無線機器同士が相互の使用者識別情報（以下、ユーザＩＤという）を送受信することによって、互いのユーザＩＤの登録を行う。登録に使用するユーザＩＤは、無線機器の製造時に書き込まれる製造番号等を使用している。なお、ユーザＩＤを専用の設定器によって無線機器に書き込んだ後、相手局登録を無線通信によって行うものもある。
【０００４】
無線通信による相手局登録の手順は、以下の通りである。例えば子機から登録開始コマンドと自局の無線識別符号および自局のユーザＩＤを相手局である親機に送信する。親機は、受信した相手局の識別符号および相手局のユーザＩＤを記憶するとともに、相手局である子機に対して自局の無線識別符号および自局のユーザＩＤと記憶した相手局の無線識別符号、相手局のユーザＩＤを送信する。これを受信した子機は、自局の無線識別符号および自局のユーザＩＤを確認し、誤りがなければ受信した相手局の無線識別符号および相手局のユーザＩＤを記憶する。また、逆に親機から登録開始コマンドを送信して、相手局登録を開始する場合もある。
【特許文献１】特開平１１−２７７６０号公報
【発明の開示】
【発明が解決しようとする課題】
【０００５】
上記のような従来の無線データ通信システムにおいて、相手局登録の際、登録に使用するユーザＩＤとして、無線機器の製造時に書き込まれる製造番号等を使用した場合、無線機器のユーザＩＤが不明であると、センタ側から無線機器を呼び出すことができないので、使用者（ユーザ）宅に設置する無線機器のユーザＩＤを予めセンタ側で知っておく必要がある。
【０００６】
また、ユーザ宅に設置する無線機器のユーザＩＤをセンタ側が知っている場合でも、作業員が一度に複数のユーザ宅に対して設置工事を行う場合、ユーザを取り違えて無線機器を設置してしまう可能性があり、センタ側から所望するユーザ宅の無線機器を呼び出すことができなくなる。
【０００７】
ユーザＩＤを専用の設定器によって書き込む場合には、ユーザＩＤとして、センタ側で容易に特定できるユーザ宅の電話番号等を設定できる。しかし、設定器に誤ったユーザＩＤが入力される可能性がある。
【０００８】
さらに従来の無線機器は、無線機器が設置されるまでの間に、製造時に予め電源として搭載されている電池が消耗するのを防止するために、相手局登録がされた時点から、電波の有無を調べる間欠キャリアセンス動作を開始するように構成されている。このために相手局登録は無線機器の設置時に行う必要があり、相手局登録を行うのに要する時間だけ、設置に要する時間が長くなるという問題があった。特に屋内に無線機器を設置する場合には、ユーザ宅内での作業時間を短くして欲しいという要望に応えることが困難であった。
【０００９】
そこで、この発明の一つの目的は、データ通信システムにおいて、無線親機と無線子機の使用者識別情報が誤って登録されるのを回避することである。
【００１０】
また、この発明のもう一つの目的は、データ通信システムにおいて、無線機器の設置に要する時間を短縮することである。
【課題を解決するための手段】
【００１１】
この発明の一つの局面に従ったデータ通信システムは、ホストコンピュータを有するホストと、このホストに接続されたセンタ側網制御装置と、通信回線を介してセンタ側網制御装置に接続された端末側網制御装置と、この端末側網制御装置に接続された無線親機と、無線で無線親機と通信する複数の無線子機と、複数の無線子機の各々に接続された端末機器とを備え、ホスト、無線親機および無線子機の間でデータを伝送するときに用いられる無線親機と無線子機の初期の使用者識別情報が無線機固有の識別情報と同一に設定されている。
【００１２】
この発明に従ったデータ通信システムにおいては、ホスト、無線親機および無線子機の間でデータを伝送するときに用いられる無線親機と無線子機の初期の使用者識別情報が無線機固有の識別情報と同一に設定されているので、設定されている使用者識別情報が仮の使用者識別情報（無線機固有の識別情報と同一である）であるのか、正規の使用者識別情報（無線機固有の識別情報と異なる）であるのかを容易に判別することができる。また、作業者またはホストが認識する必要のない仮の使用者識別情報（無線機固有の識別情報と同一である）を用いて相手局登録ができるとともに、その仮の使用者識別情報が無線機固有の識別情報であるので相手局登録の際に無線親機と無線子機の使用者識別情報が誤って登録されるのを回避することができる。
【００１３】
この発明に従ったデータ通信システムにおいては、無線親機または無線子機に設定されている使用者識別情報が無線機固有の識別情報と同一である場合にはキャリアセンス動作を停止し、無線親機または無線子機に設定されている使用者識別情報が無線機固有の識別情報と異なる場合にはキャリアセンス動作を開始するように構成されているのが好ましい。この場合、仮の使用者識別情報（無線機固有の識別情報と同一である）を用いて相手局登録を行ってもキャリアセンス動作を停止するので、キャリアセンス動作による無駄な電池の消耗を招くことなく、設置前に相手局登録ができる。このため、設置に要する時間を短縮することができる。
【００１４】
この発明に従った無線子機は、ホストコンピュータを有するホストと、ホストに接続されたセンタ側網制御装置と、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを備えたデータ通信システムに用いられる無線子機であって、ホスト、無線親機および無線子機の間でデータを伝送するときに用いられる無線子機の初期の使用者識別情報が無線機固有の識別情報と同一に設定されている。
【００１５】
この発明に従った無線子機においては、ホスト、無線親機および無線子機の間でデータを伝送するときに用いられる無線子機の初期の使用者識別情報が無線機固有の識別情報と同一に設定されているので、設定されている使用者識別情報が仮の使用者識別情報（無線機固有の識別情報と同一である）であるのか、正規の使用者識別情報（無線機固有の識別情報と異なる）であるのかを容易に判別することができる。また、作業者またはホストが認識する必要のない仮の使用者識別情報（無線機固有の識別情報と同一である）を用いて相手局登録ができるとともに、その仮の使用者識別情報が無線機固有の識別情報であるので相手局登録の際に無線子機の使用者識別情報が誤って登録されるのを回避することができる。
【００１６】
この発明に従った無線子機においては、無線子機に設定されている使用者識別情報が無線機固有の識別情報と同一である場合にはキャリアセンス動作を停止し、無線子機に設定されている使用者識別情報が無線機固有の識別情報と異なる場合にはキャリアセンス動作を開始するように構成されているのが好ましい。この場合、仮の使用者識別情報（無線機固有の識別情報と同一である）を用いて相手局登録を行ってもキャリアセンス動作を停止するので、キャリアセンス動作による無駄な電池の消耗を招くことなく、設置前に相手局登録ができる。このため、設置に要する時間を短縮することができる。
【００１７】
この発明に従った無線親機は、ホストコンピュータを有するホストと、ホストに接続されたセンタ側網制御装置と、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを備えたデータ通信システムに用いられる無線親機であって、ホスト、無線親機および無線子機の間でデータを伝送するときに用いられる無線親機の初期の使用者識別情報が無線機固有の識別情報と同一に設定されている。
【００１８】
この発明に従った無線親機においては、ホスト、無線親機および無線子機の間でデータを伝送するときに用いられる無線親機の初期の使用者識別情報が無線機固有の識別情報と同一に設定されているので、設定されている使用者識別情報が仮の使用者識別情報（無線機固有の識別情報と同一である）であるのか、正規の使用者識別情報（無線機固有の識別情報と異なる）であるのかを容易に判別することができる。また、作業者またはホストが認識する必要のない仮の使用者識別情報（無線機固有の識別情報と同一である）を用いて相手局登録ができるとともに、その仮の使用者識別情報が無線機固有の識別情報であるので相手局登録の際に無線親機の使用者識別情報が誤って登録されるのを回避することができる。
【００１９】
この発明に従った無線親機においては、無線親機に設定されている使用者識別情報が無線機固有の識別情報と同一である場合にはキャリアセンス動作を停止し、無線親機に設定されている使用者識別情報が無線機固有の識別情報と異なる場合にはキャリアセンス動作を開始するように構成されているのが好ましい。この場合、仮の使用者識別情報（無線機固有の識別情報と同一である）を用いて相手局登録を行ってもキャリアセンス動作を停止するので、キャリアセンス動作による無駄な電池の消耗を招くことなく、設置前に相手局登録ができる。このため、設置に要する時間を短縮することができる。
【００２０】
この発明に従った端末側装置は、ホストコンピュータを有するホストと、このホストに接続されたセンタ側網制御装置と、通信回線を介してセンタ側網制御装置に接続される端末側装置とを備えたデータ通信システムに用いられる端末側装置であって、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを含み、ホスト、無線親機および無線子機の間でデータを伝送するときに用いられる無線親機と無線子機のそれぞれの初期の使用者識別情報が無線機固有の識別情報と同一に設定されている。
【００２１】
この発明に従った端末側装置においては、ホスト、無線親機および無線子機の間でデータを伝送するときに用いられる無線親機と無線子機の初期の使用者識別情報が無線機固有の識別情報と同一に設定されているので、設定されている使用者識別情報が仮の使用者識別情報（無線機固有の識別情報と同一である）であるのか、正規の使用者識別情報（無線機固有の識別情報と異なる）であるのかを容易に判別することができる。また、作業者またはホストが認識する必要のない仮の使用者識別情報（無線機固有の識別情報と同一である）を用いて相手局登録ができるとともに、その仮の使用者識別情報が無線機固有の識別情報であるので相手局登録の際に無線親機と無線子機の使用者識別情報が誤って登録されるのを回避することができる。
【００２２】
この発明に従った端末側装置においては、無線親機または無線子機に設定されている使用者識別情報が無線機固有の識別情報と同一である場合にはキャリアセンス動作を停止し、無線親機または無線子機に設定されている使用者識別情報が無線機固有の識別情報と異なる場合にはキャリアセンス動作を開始するように構成されているのが好ましい。この場合、仮の使用者識別情報（無線機固有の識別情報と同一である）を用いて相手局登録を行ってもキャリアセンス動作を停止するので、キャリアセンス動作による無駄な電池の消耗を招くことなく、設置前に相手局登録ができる。このため、設置に要する時間を短縮することができる。
【００２３】
この発明に従ったデータ通信システムの相手局登録方法は、ホストコンピュータを有するホストと、このホストに接続されたセンタ側網制御装置と、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを備え、ホスト、無線親機および無線子機の間でデータを伝送するときに用いられる無線親機と無線子機の初期の使用者識別情報が無線機固有の識別情報と同一に設定されているデータ通信システムの相手局登録方法であって、無線機固有の識別情報を用いることにより無線親機と無線子機との間での相互の相手局登録を行う。
【００２４】
この発明に従ったデータ通信システムの相手局登録方法においては、作業者またはホストが認識する必要のない仮の使用者識別情報（無線機固有の識別情報と同一である）を用いて相手局登録ができるとともに、その仮の使用者識別情報が無線機固有の識別情報であるので相手局登録の際に無線親機と無線子機の使用者識別情報が誤って登録されるのを回避することができる。
【００２５】
この発明に従ったデータ通信システムの相手局登録方法においては、無線親機と無線子機との間での相互の相手局登録を無線親機と無線子機の製造時に行うのが好ましい。この場合、製造時点で相手局登録ができるので、設置に要する時間を短縮することができる。
【００２６】
また、この発明に従ったデータ通信システムの相手局登録方法においては、無線親機と無線子機との間での相互の相手局登録を無線親機と無線子機の設置前に行うのが好ましい。この場合、設置前に相手局登録ができるので、設置に要する時間を短縮することができる。
【００２７】
この発明に従ったデータ通信システムの設置方法は、ホストコンピュータを有するホストと、このホストに接続されたセンタ側網制御装置と、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを備え、ホスト、無線親機および無線子機の間でデータを伝送するときに用いられる無線親機と無線子機の初期の使用者識別情報が無線機固有の識別情報と同一に設定されているデータ通信システムの設置方法であって、以下のステップを備える。
【００２８】
（ａ）無線機固有の識別情報を用いることにより無線親機と無線子機との間での相互の相手局登録を設置前に行い、キャリアセンス動作を停止するステップ。
【００２９】
（ｂ）無線機固有の識別情報で相互の相手局登録が行なわれた無線親機から、端末側網制御装置とセンタ側網制御装置とを通じてホストに発呼するステップ。
【００３０】
（ｃ）無線親機からの発呼に応じてホストは、通信回線の使用者識別情報に基づいて予め登録されている無線親機と無線子機の使用者識別情報を抽出し、無線親機と無線子機に使用者識別情報を送信するステップ。
【００３１】
（ｄ）無線親機と無線子機の各々が、登録されている自局と相手局の使用者識別情報を、無線機固有の識別情報から、ホストから送信された無線親機と無線子機の使用者識別情報に変更するステップ。
【００３２】
この発明に従ったデータ通信システムの設置方法においては、通信回線の使用者識別情報だけを管理すればよく、または知っていればよく、使用者宅に設置する無線親機と無線子機の仮の使用者識別情報を予めホスト側で管理する、または知っておく必要がなくなり、また設置時に設定器による正規の使用者識別情報の書き込みを必要としない。このため、無線親機と無線子機の使用者識別情報が誤って設定登録されるのを回避することができる。
【００３３】
この発明に従ったデータ通信システムのキャリアセンス動作の開始方法は、ホストコンピュータを有するホストと、このホストに接続されたセンタ側網制御装置と、通信回線を介してセンタ側網制御装置に接続された端末側網制御装置と、端末側網制御装置に接続された無線親機と、無線で無線親機と通信する複数の無線子機と、複数の無線子機の各々に接続された端末機器とを備え、ホスト、無線親機および無線子機の間でデータを伝送するときに用いられる無線親機と無線子機の初期の使用者識別情報が無線機固有の識別情報と同一に設定されているデータ通信システムのキャリアセンス動作の開始方法であって、無線親機と無線子機との間での相互の相手局が無線機固有の識別情報と異なる使用者識別情報で登録されているときにキャリアセンス動作を開始する。
【００３４】
この発明に従ったデータ通信システムのキャリアセンス動作の開始方法においては、正規の使用者識別情報（無線機固有の識別情報と異なる）を用いて相手局登録が行なわれているときにキャリアセンス動作を開始するので、設置後にキャリアセンス動作のみを分離して行うことができる。
【００３５】
この発明に従ったデータ通信システムのキャリアセンス動作の開始方法においては、キャリアセンス動作の開始方法が、無線親機と無線子機との間での相互の相手局登録の操作方法と同じであるのが好ましい。この場合、従来の相手局登録操作と同一の操作で設置後にキャリアセンス動作のみを行うことができるので、作業員が容易に操作を理解することができ、操作を誤るのを回避することができる。
【発明の効果】
【００３６】
この発明によれば、データ通信システムにおいて、無線親機と無線子機の使用者識別情報が誤って登録されるのを回避することができる。
【００３７】
また、この発明によれば、データ通信システムにおいて、無線機器の設置に要する時間を短縮することができる。
【発明を実施するための最良の形態】
【００３８】
以下、本発明の一つの実施の形態を図面に基づいて詳細に説明する。
【００３９】
図１は、本発明のデータ通信システムの一つの実施の形態として無線テレメータシステムを示すシステム構成図である。
【００４０】
図１に示すように、無線テレメータシステムは、ホストコンピュータ１を有するホストと、ホストコンピュータ１に接続されたセンタ側網制御装置２と、通信回線としての電話回線を介して接続された端末側網制御装置（Ｔ−ＮＣＵ）３と、Ｔ−ＮＣＵ３に接続された無線親機（親機）４と、親機４に接続された端末機器としてのメータ６ｂと、親機４と無線回線を介して通信を行う複数の無線子機（子機）５と、子機５に接続された端末機器としてのメータ６ａとによって構成される。
【００４１】
図２は、本発明の一つの実施の形態における親機４または子機５の構成を示すブロック図である。
【００４２】
図２に示すように、親機または子機は、アンテナ７と、アンテナ７に接続され、親機４または子機５と無線通信を行うための無線通信ユニット８と、親機４または子機５の動作を制御する制御部９と、親機４の場合はＴ−ＮＣＵ３と接続するためとメータと接続するためのメータインターフェース部１０、子機５の場合はメータと接続するためのメータインターフェース部１０と、自己の無線局の無線機固有の識別情報としての無線識別符号と使用者識別情報としてのユーザＩＤとを記憶している自局ＩＤ記憶部１１と、相手の無線局の無線機固有の識別情報としての無線識別符号と使用者識別情報としてのユーザＩＤとを記憶している相手局ＩＤ記憶部１２と、相手局登録時に使用するスイッチ部１３と、相手局登録動作の結果を示す表示部１４とによって構成される。ここで、無線機固有の識別情報としての無線識別符号は、無線機を固有に特定する番号等であり、使用者によって認識されない情報である。
【００４３】
図３は、本発明の一つの実施の形態における親機４もしくは子機５の自局ＩＤ記憶部１１の構成、または子機５の相手局ＩＤ記憶部１２の構成を示すブロック図である。
【００４４】
図３に示すように、親機４もしくは子機５の自局ＩＤ記憶部１１、または子機５の相手局ＩＤ記憶部１２は、無線局の無線識別符号を記憶する識別符号記憶部１５と、ユーザＩＤを記憶するユーザＩＤ記憶部１６とによって構成される。初期においては、親機４または子機５の自局ＩＤ記憶部１１のユーザＩＤ記憶部１６には、識別符号記憶部１５と同じ無線機固有の識別情報としての無線局の無線識別符号が記憶されている。
【００４５】
図４は、本発明の一つの実施の形態における親機４の相手局ＩＤ記憶部１２の構成を示すブロック図である。
【００４６】
図４に示すように、親機４の相手局ＩＤ記憶部１２は、テーブル番号１７と相手の無線局の識別符号を記憶する識別符号記憶部１８として識別符号記憶部Ａ、Ｂ、Ｃ・・・と、相手局のユーザＩＤを記憶するユーザＩＤ記憶部１９としてのユーザＩＤ記憶部Ａ、Ｂ、Ｃ・・・とによって構成される。Ａ・Ｂ・Ｃ・・・は登録可能である子機５の台数によって決まり、例えば、１６台の子機５を登録可能である親機４の場合、テーブル番号１７は００１から０１６までとなり、識別符号記憶部１８およびユーザＩＤ記憶部１９はＡ〜Ｐまで存在する。
【００４７】
図５は、本発明の一つの実施の形態としての無線テレメータシステムに使用する電文例を示す図である。
【００４８】
図５の（Ａ）に示すように、電文２０は、相手局登録を行う場合に子機５から送信する相手局登録電文で、１２桁の自局無線識別符号と１６桁の自局ユーザＩＤとから構成される。図５の（Ｂ）に示すように、電文２１は子機５からの相手局登録電文２０に応じて親機４から送信する相手局登録応答電文で、１２桁の自局無線識別符号と、１６桁の自局ユーザＩＤと、１２桁の相手局無線識別符号と、１６桁の相手局ユーザＩＤとから構成される。図５の（Ｃ）に示すように、電文２２は、正規ユーザＩＤ設定要求を受信したホストコンピュータ１が親機４および子機５に対して送信する正規ユーザＩＤ設定電文で、４桁のＩＤ変更コマンドと正規ユーザＩＤである自局ユーザＩＤとから構成される。図５の（Ｄ）に示すように、電文２３はホストコンピュータ１が子機５に対して送信する相手局ユーザＩＤ変更電文で、４桁の相手局登録コマンドと、１２桁の相手局無線識別符号と、１６桁の相手局ユーザＩＤとから構成される。図５の（Ｅ）に示すように、電文２４はホストコンピュータ１が親機４に対して送信する相手局ユーザＩＤ変更電文で、４桁の
相手局登録コマンドと、親機４に登録されている複数の子機５の中の目的とする１台を指定するための３桁の変更テーブル番号（Ｎｏ．）と、１２桁の相手局無線識別符号と、１６桁の相手局ユーザＩＤとから構成される。
【００４９】
図６は、本発明の一つの実施の形態としての無線テレメータシステムの子機において、登録スイッチが押下された場合の相手局登録動作を示すフローチャート、図７と図８は同じく親機の相手局登録動作を示すフローチャート、図９はセンタより正規ユーザＩＤの設定を行う場合のホストコンピュータおよびセンタ側網制御装置の動作を示すフローチャートである。
【００５０】
本発明の一つの実施の形態としての無線テレメータシステムの子機５において登録スイッチが押下された場合の相手局登録動作を図１、図２、図３、図５および図６に基づいて説明する。
【００５１】
子機５が相手局登録として親機４の登録を行う場合、子機５のスイッチ部１３にある登録スイッチを押下する。子機５の制御部９は登録スイッチの押下を常時監視しており(ステップＳ１、以下「ステップ」は省略する)、スイッチの押下を検出すると相手局登録を行うために、相手局登録電文２０を送信する(Ｓ２)。相手局登録電文２０を送信後、子機５の制御部９は親機４からの相手局登録応答電文２１の受信を待つ(Ｓ３)。応答が無い場合、子機５の制御部９は一定時間受信待ちを行い(Ｓ４)、一定時間経過しても応答がない場合、相手局登録に失敗したと判断し、相手局登録に失敗したことを表示部１４に表示するとともに（図示せず）、待機状態に戻る（ＥＮＤ）。
【００５２】
子機５の制御部９は相手局登録応答電文２１を受信した場合、相手局ＩＤ記憶部１２に相手の無線局の識別符号およびユーザＩＤを記憶する(Ｓ６)。
【００５３】
子機５の制御部９は、相手局を登録後、自局ＩＤ記憶部１１を参照し、識別符号記憶部１５とユーザＩＤ記憶部１６のデータを比較する(Ｓ７)。
【００５４】
比較した結果、両者が一致しない場合、正規ユーザＩＤによる相手局登録であると判断し、従来通り間欠キャリアセンスを開始する(Ｓ５)。
【００５５】
これに対して両者が一致した場合、仮ユーザＩＤによる相手局登録であるため、間欠キャリアセンス停止モードとなる(Ｓ８)。
【００５６】
次に、本発明の一つの実施の形態としての無線テレメータシステムの親機４が相手局として子機５を登録する場合の相手局登録動作を図１、図２、図４、図５、図７および図８に基づいて説明する。
【００５７】
親機４の制御部９は、スイッチ部１３にある登録スイッチの押下を監視している(Ｓ９)。親機４の制御部９は登録スイッチが押下されたことを検出すると、子機５からの相手局登録電文２０の受信を待つ(Ｓ１０)。親機４の制御部９は子機５からの相手局登録電文２０を受信しない場合、一定時間受信待ちを行い(Ｓ１１)、一定時間経過しても応答がない場合、待機状態に戻る（ＥＮＤ）。
【００５８】
親機４の制御部９は、Ｓ１０で相手局登録電文２０を受信した場合、相手局ＩＤ記憶部１２を参照し(Ｓ１２)、すでに相手局登録がされている場合、識別符号記憶部１８とユーザＩＤ記憶部１９のデータを比較する(Ｓ１３)。 比較した結果、両者が一致しない場合、正規ユーザＩＤによる相手局登録であると判断し、子機５に対して相手局登録応答電文２１を送信した後（Ｓ１５）、従来通り間欠キャリアセンスを開始する(Ｓ１９)。これに対して両者が一致した場合、仮ユーザＩＤによる相手局登録であると判断し、仮ユーザＩＤを正規ユーザＩＤに変更するために、登録されているセンタ電話番号に正規ユーザＩＤ設定要求の発呼を行う（Ｓ２０）。
【００５９】
親機４の制御部９は、Ｓ１２で相手局登録がされていない場合、相手局ＩＤ記憶部１２に相手の無線局の識別符号およびユーザＩＤを記憶し（Ｓ１４）、子機５に対して相手局登録応答電文２１を送信した後（Ｓ１６）、相手局ＩＤ記憶部１２の識別符号記憶部１８とユーザＩＤ記憶部１９のデータを比較する（Ｓ１７）。比較した結果、両者が一致しない場合、正規ユーザＩＤによる相手局登録であると判断し、従来通り間欠キャリアセ
ンスを開始する(Ｓ１９)。
【００６０】
これに対して両者が一致した場合、仮ユーザＩＤによる相手局登録であるため、間欠キャリアセンス停止モードとなる(Ｓ１８)。
【００６１】
本発明の一つの実施の形態としての無線テレメータシステムは以上のように動作し、仮のユーザＩＤで相手局登録を行うことによって間欠キャリアセンスが開始しないので、仮のユーザＩＤで相手局登録後、設置時までに間欠キャリアセンス動作による無駄な電池の消耗を招かない。このため、設置前、または製造工程において無線機器の相手局登録を行うことができる。したがって、相手局登録を無線機器の設置時に行う必要がなくなり、設置に要する時間を短縮することができる。
【００６２】
次に、本発明の一つの実施の形態としての無線テレメータシステムの親機４において相手局として子機５が登録されているが、相手局が仮ユーザＩＤで登録されている場合に相手局登録の操作を行ったときの動作を図１、図２、図３、図４、図５、図８および図９に基づいて説明する。
【００６３】
ホストコンピュータ１は、センタ側網制御装置２を介して親機４からの正規ユーザＩＤ設定要求（Ｓ２０）を受信すると、通信回線の使用者識別情報として、電話局から通知される発信者電話番号よりユーザを検索し、該当電話番号のユーザ登録データを基に親機４および子機５の正規ユーザＩＤを抽出する（Ｓ２１）。この後、子機５に対して正規ユーザＩＤ設定電文２２を送信する（Ｓ２２）。ホストコンピュータ１から正規ユーザＩＤ設定電文２２を受信した子機５は、自局ＩＤ記憶部１１のユーザＩＤ記憶部１６のデータを変更する。
【００６４】
次にホストコンピュータ１は、子機５に対して相手局ユーザＩＤ変更電文２３を送信する（Ｓ２３）。ホストコンピュータ１から相手局ユーザＩＤ変更電文２３を受信した子機５は、相手局ＩＤ記憶部１２のユーザＩＤ記憶部１６のデータを変更する。
【００６５】
子機５に対する設定を終えたホストコンピュータ１は、引き続き親機４に対して同様に正規ユーザＩＤ設定電文２２の送信（Ｓ２４）、相手局ユーザＩＤ変更電文２４を送信し（Ｓ２５）、これらの電文を受信した親機４も子機５と同様にして、自局ＩＤ記憶部１１のユーザ記憶部１６のデータと、相手局ＩＤ記憶部１２の該当するテーブル番号１７のユーザＩＤ記憶部１９のデータを変更する。
【００６６】
本発明の一つの実施の形態としての無線テレメータシステムは以上のように動作するので、通信回線の使用者識別情報として、電話局より通知される発信者電話番号を基にユーザを識別するため、ユーザ宅に設置する無線機器の仮のユーザＩＤを予めセンタ側で管理する、または知っておく必要がなく、設置時に設定器による正規のユーザＩＤの書き込みを必要としないため、誤ったユーザＩＤを設定登録するという問題も回避することができる。
【００６７】
以上の説明で明らかなように、本発明の一つの実施の形態として無線テレメータシステムにより、以下のような効果が得られる。
【００６８】
仮ユーザＩＤとして自局の無線識別符号を用いるので、設定されているＩＤが仮ユーザＩＤであるのか、正規ユーザＩＤであるのかを容易に判別することができる。
【００６９】
また、仮ユーザＩＤによる相手局登録を実施した場合、規定の操作が行われるまで間欠キャリアセンスを停止しているため、相手局登録後、設置時までの間欠キャリアセンス動作による無駄な電池の消耗を招くことなく、設置前に、または製造工程で相手局登録が可能となる。これにより、相手局登録を無線機器の設置時に行う必要がなくなるため、設置に要する時間を短縮することができる。
【００７０】
なお、設置前に、または製造工程では、図６に示すステップＳ１、Ｓ２、Ｓ３、Ｓ６、Ｓ７およびＳ８に従って子機５において相手局としての親機４の登録を行えばよく、また図７と図８に示すステップＳ９、Ｓ１０、Ｓ１２、Ｓ１４、Ｓ１６、Ｓ１７およびＳ１８に従って親機４において相手局としての子機５の登録を行えばよい。この場合、相手局登録後、間欠キャリアセンス動作は停止するので、設置時までの間欠キャリアセンス動作による無駄な電池の消耗を招くことがない。
【００７１】
上記のように相手局登録後、停止している間欠キャリアセンスを動作させるためには、まず、図７と図８に示すステップＳ９、Ｓ１０、Ｓ１２、Ｓ１３およびＳ２０と、図１０に示すステップＳ２１〜Ｓ２５とに従って、登録されている仮のユーザＩＤを正規のユーザＩＤに変更する。そして、図６に示すステップＳ１、Ｓ２、Ｓ３、Ｓ６、Ｓ７およびＳ５に従って子機５において相手局としての親機４の登録操作を行えばよく、また図７と図８に示すステップＳ９、Ｓ１０、Ｓ１２、Ｓ１３、Ｓ１５およびＳ１９に従って親機４において相手局としての子機５の登録操作を行えばよい。
【００７２】
特に屋内に親機４と子機５の無線機器を設置する場合には、本発明によれば設置前に相手局登録が可能となるので、ユーザ宅内での設置に要する作業時間を短くすることができる。
【００７３】
さらに、停止している間欠キャリアセンスを動作させる操作が、従来の相手局登
録操作と同一のため、工事担当者に操作が理解しやすく、また工事コストの上昇を招くことなく上述した効果を達成することができる。
【００７４】
正規のユーザＩＤを設定することなく相手局登録ができるので、設定器による正規のユーザＩＤ設定の場合に発生する可能性があった誤入力を回避することができる。
【００７５】
センタは通信回線の使用者識別情報として電話局より通知される発信者電話番号を基にユーザを識別するため、ユーザ宅に設置する無線機器の仮のユーザＩＤを予めセンタ側で管理する必要がない。
【００７６】
上記の実施の形態では、端末機器としてメータを用いた例を説明したが、センサ等の種々の検知、検量、判定等を行う端末機器に本発明を適用しても同様の効果を達成することができる。また、上記の実施の形態では、通信回線として電話回線を用いた例を説明したが、インターネットプロトコル（ＩＰ）を用いた種々の通信回線、光通信回線等を用いて本発明を構成しても同様の効果を達成することができる。上記の実施の形態では、端末機器としてメータが無線親機と無線子機に接続されているが、無線子機のみに接続されていてもよい。
【００７７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００７８】
【図１】本発明の一つの実施の形態として無線テレメータシステムを示すシステム構成図である。
【図２】本発明の一つの実施の形態として無線テレメータシステムにおける親機または子機の構成を示すブロック図である。
【図３】本発明の一つの実施の形態として無線テレメータシステムにおける親機もしくは子機の自局ＩＤ記憶部の構成、または子機の相手局ＩＤ記憶部の構成を示すブロック図である。
【図４】本発明の一つの実施の形態として無線テレメータシステムにおける親機の相手局ＩＤ記憶部の構成を示すブロック図である。
【図５】本発明の一つの実施の形態として無線テレメータシステムに使用する電文例を示す図である。
【図６】本発明の一つの実施の形態として無線テレメータシステムの子機において登録スイッチが押下された場合の相手局登録動作を示すフローチャートである。
【図７】本発明の一つの実施の形態として無線テレメータシステムの親機において相手局登録動作の前半部分を示すフローチャートである。
【図８】本発明の一つの実施の形態として無線テレメータシステムの親機において相手局登録動作の後半部分を示すフローチャートである。
【図９】本発明の一つの実施の形態として無線テレメータシステムにおいてセンタより正規ユーザＩＤの設定を行う場合のホストコンピュータおよびセンタ側網制御装置の動作を示すフローチャートである。
【符号の説明】
【００７９】
１：ホストコンピュータ、２：センタ側網制御装置、３：端末側網制御装置（Ｔ−ＮＣＵ）、４：無線親機、５：無線子機、６ａ，６ｂ：メータ、７：アンテナ、８：無線通信ユニット、９：制御部、１０：メータインターフェース部、１１：自局ＩＤ記憶部、１２：相手局ＩＤ記憶部、１３：スイッチ部、１４：表示部、１５：識別符号記憶部、１６：ユーザＩＤ記憶部、１７：テーブル番号、１８：識別符号記憶部、１９：ユーザＩＤ記憶部、２０：相手局登録電文、２１：相手局登録応答電文、２２：正規ユーザＩＤ設定電文、２３：相手局ユーザＩＤ変更電文、２４：相手局ユーザＩＤ変更電文。
【図１】
2005229426.tif 000003
【図２】
2005229426.tif 000004
【図３】
2005229426.tif 000005
【図４】
2005229426.tif 000006
【図５】
2005229426.tif 000007
【図６】
2005229426.tif 000008
【図７】
2005229426.tif 000009
【図８】
2005229426.tif 000010
【図９】
2005229426.tif 000011